(57)【特許請求の範囲】
【請求項１】
加速度センサを備え、被検者の歩行動作を検出可能な歩行動作監視装置であって、
前記加速度センサより出力された加速度データの波形からピーク値を抽出する抽出手段と、
前記抽出手段により抽出されたピーク値と、前記被検者の歩行動作とを対応付けることで、該被検者の右足の動作に関する時間と、該被検者の左足の動作に関する時間とを算出する第１の算出手段と、
前記第１の算出手段により算出された、前記被検者の右足の動作に関する時間と、該被検者の左足の動作に関する時間とに基づいて、該被検者の歩行動作における右足と左足のバランスを示す評価値を算出する第２の算出手段とを備え、
前記第１の算出手段は、
前記被検者の左足蹴り上げ動作から左足着地動作までの時間の合計値を、前記被検者の右足の動作に関する時間として算出し、前記被検者の右足蹴り上げ動作から右足着地動作までの時間の合計値を、前記被検者の左足の動作に関する時間として算出し、
前記第２の算出手段は、
前記被検者の右足の動作に関する時間と、前記被検者の左足の動作に関する時間との比率を、前記被検者の歩行動作における右足と左足のバランスを示す評価値として算出することを特徴とする歩行動作監視装置。
【請求項２】
加速度センサを備え、被検者の歩行動作を検出可能な歩行動作監視装置であって、
前記加速度センサより出力された加速度データの波形からピーク値を抽出する抽出手段と、
前記抽出手段により抽出されたピーク値と、前記被検者の歩行動作とを対応付けることで、該被検者の右足の動作に関する時間と、該被検者の左足の動作に関する時間とを算出する第１の算出手段と、
前記第１の算出手段により算出された、前記被検者の右足の動作に関する時間と、該被検者の左足の動作に関する時間とに基づいて、該被検者の歩行動作における右足と左足のバランスを示す評価値を算出する第２の算出手段とを備え、
前記第１の算出手段は、
前記被検者の左足蹴り上げ動作から右足蹴り上げ動作までの時間の合計値を、前記被検者の右足の動作に関する時間として算出し、前記被検者の右足蹴り上げ動作から左足蹴り上げ動作までの時間の合計値を、前記被検者の左足の動作に関する時間として算出し、
前記第２の算出手段は、
前記被検者の右足の動作に関する時間と、前記被検者の左足の動作に関する時間との比率を、前記被検者の歩行動作における右足と左足のバランスを示す評価値として算出することを特徴とする歩行動作監視装置。
【請求項３】
加速度センサを備え、被検者の歩行動作を検出可能な歩行動作監視装置であって、
前記加速度センサより出力された加速度データの波形からピーク値を抽出する抽出手段と、
前記抽出手段により抽出されたピーク値と、前記被検者の歩行動作とを対応付けることで、該被検者の右足の動作に関する時間と、該被検者の左足の動作に関する時間とを算出する第１の算出手段と、
前記第１の算出手段により算出された、前記被検者の右足の動作に関する時間と、該被検者の左足の動作に関する時間とに基づいて、該被検者の歩行動作における右足と左足のバランスを示す評価値を算出する第２の算出手段とを備え、
前記第１の算出手段は、
前記被検者の左足蹴り上げ動作から右足蹴り上げ動作までの時間それぞれを、前記被検者の右足の動作に関する時間として算出し、前記被検者の右足蹴り上げ動作から左足蹴り上げ動作までの時間それぞれを、前記被検者の左足の動作に関する時間として算出し、
前記第２の算出手段は、
前記被検者の右足の動作に関する時間及び前記被検者の左足の動作に関する時間についての標準偏差または分散値を、前記被検者の歩行動作における右足と左足のバランスを示す評価値として算出することを特徴とする歩行動作監視装置。
【請求項４】
前記加速度センサより出力された加速度データの波形から抽出されるピーク値が、所定間隔で出現するか否かを判断する判断手段を更に備え、
前記判断手段により所定間隔で出現すると判断された加速度データについて、前記評価値を算出するよう動作することを特徴とする請求項１乃至３のいずれか１項に記載の歩行動作監視装置。
【請求項５】
加速度センサを備え、被検者の歩行動作を検出可能な歩行動作監視装置と、
前記歩行動作監視装置と通信し、前記加速度センサより出力された加速度データを受信する情報処理装置と、を備える歩行動作解析システムであって、
前記情報処理装置は、
前記受信した加速度データの波形からピーク値を抽出する抽出手段と、
前記抽出手段により抽出されたピーク値と、前記被検者の歩行動作とを対応付けることで、該被検者の右足の動作に関する時間と、該被検者の左足の動作に関する時間とを算出する第１の算出手段と、
前記第１の算出手段により算出された、前記被検者の右足の動作に関する時間と、該被検者の左足の動作に関する時間とに基づいて、該被検者の歩行動作における右足と左足のバランスを示す評価値を算出する第２の算出手段とを備え、
前記第１の算出手段は、
前記被検者の左足蹴り上げ動作から左足着地動作までの時間の合計値を、前記被検者の右足の動作に関する時間として算出し、前記被検者の右足蹴り上げ動作から右足着地動作までの時間の合計値を、前記被検者の左足の動作に関する時間として算出し、
前記第２の算出手段は、
前記被検者の右足の動作に関する時間と、前記被検者の左足の動作に関する時間との比率を、前記被検者の歩行動作における右足と左足のバランスを示す評価値として算出することを特徴とする歩行動作解析システム。
【請求項６】
加速度センサを備え、被検者の歩行動作を検出可能な歩行動作監視装置と、
前記歩行動作監視装置と通信し、前記加速度センサより出力された加速度データを受信する情報処理装置と、を備える歩行動作解析システムであって、
前記情報処理装置は、
前記受信した加速度データの波形からピーク値を抽出する抽出手段と、
前記抽出手段により抽出されたピーク値と、前記被検者の歩行動作とを対応付けることで、該被検者の右足の動作に関する時間と、該被検者の左足の動作に関する時間とを算出する第１の算出手段と、
前記第１の算出手段により算出された、前記被検者の右足の動作に関する時間と、該被検者の左足の動作に関する時間とに基づいて、該被検者の歩行動作における右足と左足のバランスを示す評価値を算出する第２の算出手段とを備え、
前記第１の算出手段は、
前記被検者の左足蹴り上げ動作から右足蹴り上げ動作までの時間の合計値を、前記被検者の右足の動作に関する時間として算出し、前記被検者の右足蹴り上げ動作から左足蹴り上げ動作までの時間の合計値を、前記被検者の左足の動作に関する時間として算出し、
前記第２の算出手段は、
前記被検者の右足の動作に関する時間と、前記被検者の左足の動作に関する時間との比率を、前記被検者の歩行動作における右足と左足のバランスを示す評価値として算出することを特徴とする歩行動作解析システム。
【請求項７】
加速度センサを備え、被検者の歩行動作を検出可能な歩行動作監視装置と、
前記歩行動作監視装置と通信し、前記加速度センサより出力された加速度データを受信する情報処理装置と、を備える歩行動作解析システムであって、
前記情報処理装置は、
前記受信した加速度データの波形からピーク値を抽出する抽出手段と、
前記抽出手段により抽出されたピーク値と、前記被検者の歩行動作とを対応付けることで、該被検者の右足の動作に関する時間と、該被検者の左足の動作に関する時間とを算出する第１の算出手段と、
前記第１の算出手段により算出された、前記被検者の右足の動作に関する時間と、該被検者の左足の動作に関する時間とに基づいて、該被検者の歩行動作における右足と左足のバランスを示す評価値を算出する第２の算出手段とを備え、
前記第１の算出手段は、
前記被検者の左足蹴り上げ動作から右足蹴り上げ動作までの時間それぞれを、前記被検者の右足の動作に関する時間として算出し、前記被検者の右足蹴り上げ動作から左足蹴り上げ動作までの時間それぞれを、前記被検者の左足の動作に関する時間として算出し、
前記第２の算出手段は、
前記被検者の右足の動作に関する時間及び前記被検者の左足の動作に関する時間についての標準偏差または分散値を、前記被検者の歩行動作における右足と左足のバランスを示す評価値として算出することを特徴とする歩行動作解析システム。
【請求項８】
前記情報処理装置は、前記加速度センサより出力された加速度データの波形から抽出されるピーク値が、所定間隔で出現するか否かを判断する判断手段を更に備え、
前記判断手段により所定間隔で出現すると判断された加速度データについて、前記評価値を算出するよう動作することを特徴とする請求項５乃至７のいずれか１項に記載の歩行動作解析システム。
【発明の詳細な説明】
【技術分野】
【０００１】
本発明は、被検者の歩行動作を解析する歩行動作解析装置および歩行動作解析システムに関するものである。
【背景技術】
【０００２】
一般に、高齢化が進むにつれ、運動機能が低下してくると、歩行動作時の転倒リスクが高まる傾向にある。また、例えば、脳卒中などの脳神経系疾患を発症した患者や、下肢を骨折した患者等による運動機能回復訓練（リハビリ）においては、歩行動作を回復させることが重要な課題となっている。このようなことから、高齢者やリハビリ患者等の歩行動作を監視するためのシステムの開発が求められている。【０００３】
一方で、従来より、健常者の歩行動作を監視するための安価な監視装置として、歩数計や活動量計等の、いわゆる３軸加速度センサが内蔵された装置が知られている。かかる監視装置によれば、被検者の歩数や歩行速度等を検出し、歩行量や消費カロリー等を算出することが可能である。
【先行技術文献】
【特許文献】
【０００４】
【特許文献１】特開２０１１−００８６１２号公報
【発明の概要】
【発明が解決しようとする課題】
【０００５】
しかしながら、高齢者やリハビリ患者等の場合、歩行量や歩行速度等の、いわゆる歩行動作量を監視するだけでなく、正しい歩行動作が行われているか否かといった、歩行動作の質を監視することが重要である。このため、上述したような監視装置を高齢者やリハビリ患者向けのシステムに適用するにあたっては、正しい歩行動作が行われているか否かといった歩行動作の質を定量的に評価できるように構成することが必要となってくる。【０００６】
本発明は上記課題に鑑みてなされたものであり、正しい歩行動作が行われているか否かを判断可能な安価な装置及びシステムを実現することを目的とする。
【課題を解決するための手段】
【０００７】
本発明の第１の側面は、加速度センサを備え、被検者の歩行動作を検出可能な歩行動作監視装置に係り、前記歩行動作監視装置は、前記加速度センサより出力された加速度データの波形からピーク値を抽出する抽出手段と、前記抽出手段により抽出されたピーク値と、前記被検者の歩行動作とを対応付けることで、該被検者の右足の動作に関する時間と、該被検者の左足の動作に関する時間とを算出する第１の算出手段と、前記第１の算出手段により算出された、前記被検者の右足の動作に関する時間と、該被検者の左足の動作に関する時間とに基づいて、該被検者の歩行動作における右足と左足のバランスを示す評価値を算出する第２の算出手段とを備え、前記第１の算出手段は、前記被検者の左足蹴り上げ動作から左足着地動作までの時間の合計値を、前記被検者の右足の動作に関する時間として算出し、前記被検者の右足蹴り上げ動作から右足着地動作までの時間の合計値を、前記被検者の左足の動作に関する時間として算出し、前記第２の算出手段は、前記被検者の右足の動作に関する時間と、前記被検者の左足の動作に関する時間との比率を、前記被検者の歩行動作における右足と左足のバランスを示す評価値として算出する。
本発明の第２の側面は、加速度センサを備え、被検者の歩行動作を検出可能な歩行動作監視装置に係り、前記歩行動作監視装置は、前記加速度センサより出力された加速度データの波形からピーク値を抽出する抽出手段と、前記抽出手段により抽出されたピーク値と、前記被検者の歩行動作とを対応付けることで、該被検者の右足の動作に関する時間と、該被検者の左足の動作に関する時間とを算出する第１の算出手段と、前記第１の算出手段により算出された、前記被検者の右足の動作に関する時間と、該被検者の左足の動作に関する時間とに基づいて、該被検者の歩行動作における右足と左足のバランスを示す評価値を算出する第２の算出手段とを備え、前記第１の算出手段は、前記被検者の左足蹴り上げ動作から右足蹴り上げ動作までの時間の合計値を、前記被検者の右足の動作に関する時間として算出し、前記被検者の右足蹴り上げ動作から左足蹴り上げ動作までの時間の合計値を、前記被検者の左足の動作に関する時間として算出し、前記第２の算出手段は、前記被検者の右足の動作に関する時間と、前記被検者の左足の動作に関する時間との比率を、前記被検者の歩行動作における右足と左足のバランスを示す評価値として算出する。
本発明の第３の側面は、加速度センサを備え、被検者の歩行動作を検出可能な歩行動作監視装置に係り、前記歩行動作監視装置は、前記加速度センサより出力された加速度データの波形からピーク値を抽出する抽出手段と、前記抽出手段により抽出されたピーク値と、前記被検者の歩行動作とを対応付けることで、該被検者の右足の動作に関する時間と、該被検者の左足の動作に関する時間とを算出する第１の算出手段と、前記第１の算出手段により算出された、前記被検者の右足の動作に関する時間と、該被検者の左足の動作に関する時間とに基づいて、該被検者の歩行動作における右足と左足のバランスを示す評価値を算出する第２の算出手段とを備え、前記第１の算出手段は、前記被検者の左足蹴り上げ動作から右足蹴り上げ動作までの時間それぞれを、前記被検者の右足の動作に関する時間として算出し、前記被検者の右足蹴り上げ動作から左足蹴り上げ動作までの時間それぞれを、前記被検者の左足の動作に関する時間として算出し、前記第２の算出手段は、前記被検者の右足の動作に関する時間及び前記被検者の左足の動作に関する時間についての標準偏差または分散値を、前記被検者の歩行動作における右足と左足のバランスを示す評価値として算出する。
本発明の第４の側面は、加速度センサを備え、被検者の歩行動作を検出可能な歩行動作監視装置と、前記歩行動作監視装置と通信し、前記加速度センサより出力された加速度データを受信する情報処理装置と、を備える歩行動作解析システムに係り、前記情報処理装置は、前記受信した加速度データの波形からピーク値を抽出する抽出手段と、前記抽出手段により抽出されたピーク値と、前記被検者の歩行動作とを対応付けることで、該被検者の右足の動作に関する時間と、該被検者の左足の動作に関する時間とを算出する第１の算出手段と、前記第１の算出手段により算出された、前記被検者の右足の動作に関する時間と、該被検者の左足の動作に関する時間とに基づいて、該被検者の歩行動作における右足と左足のバランスを示す評価値を算出する第２の算出手段とを備え、前記第１の算出手段は、前記被検者の左足蹴り上げ動作から左足着地動作までの時間の合計値を、前記被検者の右足の動作に関する時間として算出し、前記被検者の右足蹴り上げ動作から右足着地動作までの時間の合計値を、前記被検者の左足の動作に関する時間として算出し、
前記第２の算出手段は、前記被検者の右足の動作に関する時間と、前記被検者の左足の動作に関する時間との比率を、前記被検者の歩行動作における右足と左足のバランスを示す評価値として算出する。
本発明の第５の側面は、加速度センサを備え、被検者の歩行動作を検出可能な歩行動作監視装置と、前記歩行動作監視装置と通信し、前記加速度センサより出力された加速度データを受信する情報処理装置と、を備える歩行動作解析システムに係り、前記情報処理装置は、前記受信した加速度データの波形からピーク値を抽出する抽出手段と、前記抽出手段により抽出されたピーク値と、前記被検者の歩行動作とを対応付けることで、該被検者の右足の動作に関する時間と、該被検者の左足の動作に関する時間とを算出する第１の算出手段と、前記第１の算出手段により算出された、前記被検者の右足の動作に関する時間と、該被検者の左足の動作に関する時間とに基づいて、該被検者の歩行動作における右足と左足のバランスを示す評価値を算出する第２の算出手段とを備え、前記第１の算出手段は、前記被検者の左足蹴り上げ動作から右足蹴り上げ動作までの時間の合計値を、前記被検者の右足の動作に関する時間として算出し、前記被検者の右足蹴り上げ動作から左足蹴り上げ動作までの時間の合計値を、前記被検者の左足の動作に関する時間として算出し、前記第２の算出手段は、前記被検者の右足の動作に関する時間と、前記被検者の左足の動作に関する時間との比率を、前記被検者の歩行動作における右足と左足のバランスを示す評価値として算出することを特徴とする歩行動作解析システム。
本発明の第６の側面は、加速度センサを備え、被検者の歩行動作を検出可能な歩行動作監視装置と、前記歩行動作監視装置と通信し、前記加速度センサより出力された加速度データを受信する情報処理装置と、を備える歩行動作解析システムに係り、前記情報処理装置は、前記受信した加速度データの波形からピーク値を抽出する抽出手段と、前記抽出手段により抽出されたピーク値と、前記被検者の歩行動作とを対応付けることで、該被検者の右足の動作に関する時間と、該被検者の左足の動作に関する時間とを算出する第１の算出手段と、前記第１の算出手段により算出された、前記被検者の右足の動作に関する時間と、該被検者の左足の動作に関する時間とに基づいて、該被検者の歩行動作における右足と左足のバランスを示す評価値を算出する第２の算出手段とを備え、前記第１の算出手段は、前記被検者の左足蹴り上げ動作から右足蹴り上げ動作までの時間それぞれを、前記被検者の右足の動作に関する時間として算出し、前記被検者の右足蹴り上げ動作から左足蹴り上げ動作までの時間それぞれを、前記被検者の左足の動作に関する時間として算出し、前記第２の算出手段は、前記被検者の右足の動作に関する時間及び前記被検者の左足の動作に関する時間についての標準偏差または分散値を、前記被検者の歩行動作における右足と左足のバランスを示す評価値として算出する。
【発明の効果】
【０００８】
本発明によれば、正しい歩行動作が行われているか否かを判断可能な安価な装置及びシステムを実現することが可能となる。
【０００９】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１０】
添付図面は明細書に含まれ、その一部を構成し、本発明の実施の形態を示し、その記述と共に本発明の原理を説明するために用いられる。
【図１】本発明の一実施形態にかかる歩行動作解析システムの外観構成を示す図である。
【図２】歩行動作解析システムを構成する情報処理装置の機能構成を示す図である。
【図３】歩行動作解析システムを構成する歩行動作監視装置の外観構成を示す図である。
【図４】歩行動作監視装置の機能構成を示す図である。
【図５】歩行動作監視装置において検出される加速度データと歩行動作との関係を示すとともに、歩行動作を解析するためのパラメータを示す図である。
【図６】歩行動作監視装置における歩行動作検出処理の流れを示すフローチャートである。
【図７】情報処理装置における歩行動作解析処理の流れを示すフローチャートである。
【図８】歩行動作監視装置において検出される加速度データと歩行動作との関係を示すとともに、歩行動作を解析するためのパラメータを示す図である。
【図９】情報処理装置における歩行動作解析処理の流れを示すフローチャートである。
【図１０】情報処理装置における歩行動作解析処理の流れを示すフローチャートである。
【発明を実施するための形態】
【００１１】
以下、必要に応じて添付図面を参照しながら本発明の各実施形態の詳細を説明する。なお、本発明は以下の実施形態に限定されるものではなく、適宜変更可能であるものとする。
【００１２】
［第１の実施形態］
＜１．歩行動作解析システムの外観構成＞
図１は、本実施形態に係る歩行動作解析システム１００の外観構成を示す図である。図１において、１１０は情報処理装置であり、歩行動作監視装置１３０により測定された加速度データを解析することで、高齢者やリハビリ患者等の歩行動作が正しく行われたか否かを定量的に評価する。
【００１３】
１２０は、歩行動作監視装置１３０との間で近接通信を行うための近接通信部であり、歩行動作監視装置１３０から加速度データを受信し、情報処理装置１１０に格納する。歩行動作監視装置１３０は、被検者に装着され、被検者の歩行動作を検出する。
【００１４】
＜２．情報処理装置の機能構成＞
次に、歩行動作解析システム１００を構成する情報処理装置１１０の機能構成について説明する。図２は、情報処理装置１１０の機能構成を示す図である。図２において、２０１は制御メモリ（ＲＯＭ）、２０２は中央演算処理装置（コンピュータ）、２０３はメモリ（ＲＡＭ）、２０４は外部記憶装置、２０５は入力装置、２０６は表示装置、２０７は近接通信部Ｉ／Ｆ部、２０８はバスである。
【００１５】
なお、後述する歩行動作解析処理を実現するための歩行動作解析プログラム２１０及び該プログラムにおいて用いられる各種データは、外部記憶装置２０４に記憶される。これらのプログラムやデータは、中央演算処理装置２０２の制御のもと、バス２０８を通じて適宜メモリ２０３に取り込まれ、中央演算処理装置２０２によって実行される。
【００１６】
＜３．歩行動作監視装置の外観構成＞
次に、歩行動作監視装置１３０の外観構成について説明する。図３は、歩行動作監視装置１３０の外観構成を示す図である。
【００１７】
図３において、３０１は本体部であり、表示部３０２と操作部３０３とを備える。表示部３０２には、内蔵された３軸加速度センサからの加速度データに基づいて算出された、歩数や歩行速度、歩幅等が表示される。操作部３０３は、各種設定値や測定開始の指示を入力したり、表示部３０２に表示された表示内容を切り替えるための切り替え指示を入力したりする。
【００１８】
３０４は装着部材であり、歩行動作監視装置１３０が装着される被検者の体の部位に巻き回され、面ファスナ３０５により固定される。ただし、装着部材の構成はこれに限定されず、例えば、ゴムバンドやクリップのような構成であってもよいし、腕時計のバンドやバックルのような構成であってもよい。なお、装着は、被検者の体の部位に限られず、被検者が歩行時に携帯する物等に対して行ってもよく、装着部材３０４は、このような物に装着するのに適した構成であってもよい。
【００１９】
＜４．歩行動作監視装置の機能構成＞
次に、歩行動作監視装置１３０の機能構成について説明する。図４は歩行動作監視装置１３０の機能構成を示す図である。なお、図３と重複する構成については、図３と同じ参照番号を付すこととし、説明は省略する。
【００２０】
図４において、４０１は音声出力部である。音声出力部４０１では、操作部３０３を介して入力された各種指示を受け付けたことを示すビープ音を出力したり、所定の条件が成立した場合に、アラームを出力したりする。
【００２１】
４０２はメモリ部であり、測定された加速度データ等を格納する。４０３はタイマ部であり、現在時刻を出力するとともに、測定された加速度データをメモリ部４０２に格納する際に、対応付けて格納される時刻情報を提供する。
【００２２】
４０４は３軸加速度センサであり、ＸＹＺ軸の３方向の加速度を測定することで、被検者の歩行動作が検出可能となっている。なお、３軸加速度センサとしては、圧電抵抗型、静電容量型、熱検知型等、種々の方式が挙げられるが、本実施形態に係る歩行動作監視装置１３０は、いずれの方式であってもよい。
【００２３】
４０５は近接通信部であり、情報処理装置１１０に接続された近接通信部１２０との間で、情報の送受信を行う。４０６は電源部であり、歩行動作監視装置１３０の各部に電力を供給する。
【００２４】
４１０は制御部であり、歩行動作監視装置１３０全体を制御するとともに、被検者の歩数や歩行速度、歩幅等を算出するためのプログラムを実行する。更に、本実施形態に係る歩行動作監視装置１３０では、後述する歩行動作検出処理を実現するための歩行動作検出プログラム４１１を実行する。
【００２５】
制御部４１０にて歩行動作検出プログラム４１１が実行されると、制御部４１０では、３軸加速度センサ４０４から出力された加速度データに基づいて、被検者が、現在、歩行状態にあるのか否かを判断し、歩行状態にあると判断した場合には、当該加速度データをメモリ部４０２に時刻情報と対応付けて格納する。
【００２６】
＜５．歩行動作を解析するためのパラメータの説明＞
次に、情報処理装置１１０において、加速度データに基づいて、被検者の歩行動作を解析する際に用いられるパラメータについて説明する。
【００２７】
図５は、歩行動作監視装置１３０において測定される加速度データと歩行動作との関係を示すとともに、情報処理装置１１０において歩行動作を解析する際に用いられるパラメータを示す図である。
【００２８】
図５に示すように、歩行動作中、例えば、左足の踵が着地すると（状態Ｉ）、３軸加速度センサ４０４より出力される加速度データはピークとなり、両足支持状態となると、加速度データの出力は低下する。そして、右足が蹴り上げられることで（状態ＩＩ）、再びピークとなり、右足が遊脚し左足のみで支持する左足支持状態（状態ＩＩＩ）となると、再び加速度データの出力は低下する。
【００２９】
その後、右足の踵が着地すると（状態ＩＶ）、３軸加速度センサ４０４より出力される加速度データはピークとなり、両足支持状態では、加速度データの出力は低下する。更に、左足が蹴り上げられることで（状態Ｖ）、再びピークとなり、左足が遊脚し右足のみで支持する右足支持状態（状態ＶＩ）となると、再び加速度データの出力は低下する。
【００３０】
このように、測定される加速度データと歩行動作には、一定の関係がある。ここで、本願出願人は、加速度データと歩行動作との間のこのような関係を考慮し、当該加速度データに基づいて被検者が正しい歩行動作を行っているか否かを判断するにあたり、歩行動作中の左右の動作時間のバランスに着目した。
【００３１】
これは、高齢者の歩行動作時の転倒リスクは、高齢化に伴う、左右の重心のバランスの喪失に起因すると考えられており、また、脳卒中などの脳神経系疾患を発症した患者や、下肢を骨折した患者等は、右片または左片のいずれかが麻痺しているか、不自由な状態にあり、左右の重心のバランスがとれていないからである。
【００３２】
そこで、本実施形態に係る歩行動作解析システム１００では、歩行動作を解析するにあたり、左足支持状態の時間（Ｌ１、Ｌ２・・・）と、右足支持状態の時間（Ｒ１、Ｒ２・・・）とをパラメータとして用いることとする。
【００３３】
＜６．歩行動作監視装置における歩行動作検出処理の流れ＞
次に、歩行動作監視装置１３０における歩行動作検出処理について説明する。図６は、歩行動作監視装置１３０における歩行動作検出処理の流れを示すフローチャートである。
【００３４】
歩行動作検出プログラム４１１が制御部４１０により実行され、歩行動作検出処理が開始されると、ステップＳ６０１では、３軸加速度センサ４０４より出力された加速度データを取得する。
【００３５】
ステップＳ６０２では、取得した加速度データの波形から、ピーク値を抽出する。ステップＳ６０３では、抽出したピーク値が所定間隔で出現しているか否かを判定する。
【００３６】
ステップＳ６０３において、ピーク値が所定間隔で出現していると判定された場合には、被検者が現在歩行状態にあると判断し、取得した加速度データを時刻情報と対応付けてメモリ部４０２に格納し、ステップＳ６０５に進む。
【００３７】
一方、ピーク値が所定間隔で出現していないと判定された場合には、被検者は現在歩行状態にないと判断し、取得した加速度データをメモリ部４０２に格納することなく、ステップＳ６０５に進む。
【００３８】
ステップＳ６０５では、歩行動作検出処理を終了する旨の指示が入力されたか否かを判定し、入力されていないと判定された場合には、ステップＳ６０２に戻る。一方、入力されたと判定された場合には、歩行動作検出プログラム４１１を停止し、歩行動作検出処理を終了する。
【００３９】
このように、歩行動作監視装置１３０では、歩行動作検出プログラム４１１を実行することで、被検者が歩行状態にある場合の加速度データのみを、メモリ部４０２に格納していく。
【００４０】
＜７．情報処理装置における歩行動作解析処理の流れ＞
次に、情報処理装置１１０における歩行動作解析処理について説明する。図７は、情報処理装置１１０における歩行動作解析処理の流れを示すフローチャートである。
【００４１】
歩行動作解析プログラム２１０が実行され、歩行動作解析処理が開始されると、ステップＳ７０１では、歩行動作監視装置１３０より、近接通信部１２０を介して受信した加速度データを取得する。
【００４２】
ステップＳ７０２では、取得した加速度データの波形から、ピーク値を抽出する。ステップＳ７０３では、抽出したピーク値それぞれに、各歩行動作を割り当てる。具体的には、抽出したピーク値に、順次、左足着地動作、右足蹴り上げ動作、右足着地動作、左足蹴り上げ動作の各歩行動作を割り当てる。
【００４３】
ステップＳ７０４では、各歩行動作が割り当てられたピーク値の時刻情報に基づいて、各歩行周期内の右足支持時間（Ｒ１、Ｒ２・・・）及び左足支持時間（Ｌ１、Ｌ２・・・）を算出する。なお、右足支持時間は、左足着地時の時刻情報と、左足蹴り上げ時の時刻情報との差分により算出することができる。また、左足支持時間は、右足着地時の時刻情報と、右足蹴り上げ時の時刻情報との差分により算出することができる。
【００４４】
ステップＳ７０５では、ステップＳ７０４において算出された各歩行周期内の右足支持時間（Ｒ１、Ｒ２・・・）を和算することで、右足支持時間合計値（＝Ｒ１＋Ｒ２＋・・・＋Ｒｎ）を算出する。更に、ステップＳ７０４において算出された各歩行周期内の左足支持時間（Ｌ１、Ｌ２・・・）を和算することで、左足支持時間合計値（＝Ｌ１＋Ｌ２＋・・・＋Ｌｎ）を算出する。
【００４５】
ステップＳ７０６では、ステップＳ７０５において算出された右足支持時間合計値と、左足支持時間合計値とを比較する。ステップＳ７０６において、右足支持時間合計値の方が左足支持時間合計値よりも大きいと判断された場合には、ステップＳ７０７に進み、左足支持時間合計値を右足支持時間合計値により除算することで、片足支持時間比率を評価値として算出する。
【００４６】
一方、ステップＳ７０６において、右足支持時間合計値が左足支持時間合計値以下であると判断された場合には、ステップＳ７０８に進み、右足支持時間合計値を左足支持時間合計値により除算することで、片足支持時間比率を評価値として算出する。
【００４７】
このように、支持時間の合計値が大きい方の値で除算することで、評価値である片足支持時間比率は、常に１以下の値となり、１に近いほど、正常な歩行動作を行っていると判定することができる。
【００４８】
以上の説明から明らかなように、本実施形態に係る歩行動作解析システムでは、歩行動作における左右の動作時間のバランスに着目し、片足支持時間の比率を求めることで、歩行動作が正常か否かを判定する構成とした。
【００４９】
更に、片足支持時間の比率を求めるにあたっては、３軸加速度センサの加速度データのピーク値を抽出し、各歩行動作を割り当てることで、右足支持時間及び左足支持時間を算出する構成とした。
【００５０】
この結果、正しい歩行動作が行われているか否かの判断が可能なシステムを安価に実現することが可能となった。
【００５１】
［第２の実施形態］
上記第１の実施形態では、歩行動作における左右の動作時間のバランスを評価するにあたり、右足支持時間と左足支持時間をパラメータとして用いる構成とした。しかしながら、本発明はこれに限定されず、他のパラメータを用いるようにしてもよい。
【００５２】
＜１．歩行動作を解析するためのパラメータの説明＞
本実施形態に係る歩行動作解析システム１００の情報処理装置１１０において、歩行動作を解析する際に用いるパラメータについて説明する。
【００５３】
図８は、歩行動作監視装置１３０において測定される加速度データと歩行動作との関係を示すとともに、本実施形態に係る情報処理装置１１０において歩行動作を解析する際に用いられるパラメータを示す図である。
【００５４】
図８に示すように、本実施形態では、歩行動作を解析するにあたり、左足支持状態の時間と、その後の両足支持状態の時間とを和算した時間（左足接地時間と称す。Ｌ１’、Ｌ２’・・・）と、右足支持状態の時間と、その後の両足支持状態の時間とを和算した時間（右足接地時間と称す。Ｒ１’、Ｒ２’・・・）とをパラメータとして用いることとする。
【００５５】
＜２．情報処理装置における歩行動作解析処理の流れ＞
次に、本実施形態に係る歩行動作解析システム１００の情報処理装置１１０における歩行動作解析処理について説明する。図９は、情報処理装置１１０における歩行動作解析処理の流れを示すフローチャートである。
【００５６】
歩行動作解析プログラム２１０が実行され、歩行動作解析処理が開始されると、ステップＳ７０１では、歩行動作監視装置１３０より、近接通信部１２０を介して受信した加速度データを取得する。
【００５７】
ステップＳ７０２では、取得した加速度データの波形から、ピーク値を抽出する。ステップＳ７０３では、抽出したピーク値それぞれに、各歩行動作を割り当てる。具体的には、抽出したピーク値に、順次、左足着地動作、右足蹴り上げ動作、右足着地動作、左足蹴り上げ動作の各歩行動作を割り当てる。
【００５８】
ステップＳ９０４では、各歩行動作が割り当てられたピーク値の時刻情報に基づいて、各歩行周期内の右足接地時間（Ｒ１’、Ｒ２’、・・・）及び左足接地時間（Ｌ１’、Ｌ２’、・・・）を算出する。なお、右足接地時間は、右足蹴り上げ時の時刻情報と、左足蹴り上げ時の時刻情報との差分により算出することができる。また、左足接地時間は、左足蹴り上げ時の時刻情報と、右足蹴り上げ時の時刻情報との差分により算出することができる。
【００５９】
ステップＳ９０５では、ステップＳ９０４において算出された各歩行周期内の右足接地時間（Ｒ１’、Ｒ２’、・・・）を和算することで、右足接地時間合計値（Ｒ１’＋Ｒ２’＋・・・＋Ｒｎ’）を算出する。更に、ステップＳ９０４において算出された各歩行周期内の左足接地時間（Ｌ１’、Ｌ２’、・・・）を和算することで、左足接地時間合計値（＝Ｌ１’＋Ｌ２’＋・・・＋Ｌｎ’）を算出する。
【００６０】
ステップＳ９０６では、ステップＳ９０５において算出された右足接地時間合計値と、左足接地時間合計値とを比較する。ステップＳ７０６において、右足接地時間合計値の方が左足接地時間合計値よりも大きいと判断された場合には、ステップＳ９０７に進み、左足接地時間合計値を右足接地時間合計値により除算することで、片足接地時間比率を評価値として算出する。
【００６１】
一方、ステップＳ９０６において、右足接地時間合計値が左足接地時間合計値以下であると判断された場合には、ステップＳ９０８に進み、右足接地時間合計値を左足接地時間合計値により除算することで、片足接地時間比率を評価値として算出する。
【００６２】
このように、接地時間の合計値が大きい方の値で除算することで、評価値である片足接地時間比率は、常に１以下の値となり、１に近いほど、正常な歩行動作を行っていると判定することができる。
【００６３】
以上の説明から明らかなように、本実施形態に係る歩行動作解析システムでは、歩行動作における左右の動作時間のバランスに着目し、片足接地時間の比率を求めることで、歩行動作が正常か否かを判定する構成とした。
【００６４】
更に、片足接地時間の比率を求めるにあたっては、３軸加速度センサの加速度データのピーク値を抽出し、各歩行動作を割り当てることで、右足接地時間及び左足接地時間を算出する構成とした。
【００６５】
この結果、正しい歩行動作が行われているか否かの判断が可能なシステムを安価に実現することが可能となった。
【００６６】
［第３の実施形態］
上記第１及び第２の実施形態では、左右の動作時間のバランスを評価するにあたり、右足と左足とにわけてパラメータを算出し、両者を対比することで評価値を算出する構成とした。しかしながら、本発明はこれに限定されず、右足と左足の両方のパラメータを用いて評価値を算出するように構成してもよい。
【００６７】
図１０は、本実施形態に係る情報処理装置１１０における歩行動作解析処理の流れを示すフローチャートである。
【００６８】
歩行動作解析プログラム２１０が実行され、歩行動作解析処理が開始されると、ステップＳ７０１では、歩行動作監視装置１３０より、近接通信部１２０を介して受信した加速度データを取得する。
【００６９】
ステップＳ７０２では、取得した加速度データの波形から、ピーク値を抽出する。ステップＳ７０３では、抽出したピーク値それぞれに、各歩行動作を割り当てる。具体的には、抽出したピーク値に、順次、左足着地動作、右足蹴り上げ動作、右足着地動作、左足蹴り上げ動作の各歩行動作を割り当てる。
【００７０】
ステップＳ９０４では、各歩行動作が割り当てられたピーク値の時刻情報に基づいて、各歩行周期内の右足接地時間（Ｒ１’、Ｒ２’、・・・）及び左足接地時間（Ｌ１’、Ｌ２’、・・・）を算出する。なお、右足接地時間は、右足蹴り上げ時の時刻情報と、左足蹴り上げ時の時刻情報との差分により算出することができる。また、左足接地時間は、左足蹴り上げ時の時刻情報と、右足蹴り上げ時の時刻情報との差分により算出することができる。
【００７１】
ステップＳ１００５では、ステップＳ９０４において算出された各歩行周期内の右足接地時間及び左足接地時間（Ｒ１’、Ｌ１’、Ｒ２’、Ｌ２’、・・・）の標準偏差及び分散値を評価値として算出する。
【００７２】
このように、接地時間の標準偏差及び分散値を評価値として算出することで、左右の動作時間のバランスが悪い場合にあっては、標準偏差及び分散値は大きくなり、左右の動作時間のバランスが良い場合にあっては、標準偏差及び分散値は小さくなるため、歩行リズムのばらつきを定量的に評価することが可能となる。この場合、左足接地時間と右足接地時間とを合計したもの（歩行周期）について、標準偏差及び分散値を算出するようにしてもよい。
【００７３】
この結果、標準偏差及び分散値に基づいて、歩行動作が正しく行われているか否かを判定することが可能となる。
【００７４】
［第４の実施形態］
上記第１乃至第３の実施形態では、歩行動作解析プログラム２１０を情報処理装置１１０に配する構成としたが、本発明はこれに限定されず、歩行動作監視装置１３０に配し、歩行動作検出プログラム４１１と並行して動作するように構成してもよい。これにより、片足支持時間比率、片足接地時間比率、あるいは標準偏差や分散値をリアルタイムに表示部３０２にて確認することができるようになる。
【００７５】
［第５の実施形態］
上記第１乃至第４の実施形態では、歩行動作検出処理によりメモリ部４０２に時刻情報と対応付けて格納された全ての加速度データを用いて、片足支持時間比率、片足接地時間比率、あるいは標準偏差や分散値を算出する構成としたが、本発明はこれに限定されない。
【００７６】
例えば、日付ごとに加速度データを分類し、各日付に分類された加速度データについて、それぞれ、片足支持時間比率、片足接地時間比率、あるいは標準偏差や分散値を算出する構成としてもよい。更に、各日付ごとに算出された、片足支持時間比率、片足接地時間比率、あるいは標準偏差や分散値を、トレンドグラフとして表示するように構成してもよい。また、このとき、あわせて各日付ごとの平均歩行速度や、平均歩幅等を表示するように構成してもよい。
【００７７】
本発明は上記実施の形態に制限されるものではなく、本発明の精神及び範囲から離脱することなく、様々な変更及び変形が可能である。従って、本発明の範囲を公にするために、以下の請求項を添付する。
【００７８】
本願は、２０１１年９月２７日提出の日本国特許出願特願２０１１−２１１５７２を基礎として優先権を主張するものであり、その記載内容の全てを、ここに援用する。
【図１】
0006033784.tif 000002
【図２】
0006033784.tif 000003
【図３】
0006033784.tif 000004
【図４】
0006033784.tif 000005
【図５】
0006033784.tif 000006
【図６】
0006033784.tif 000007
【図７】
0006033784.tif 000008
【図８】
0006033784.tif 000009
【図９】
0006033784.tif 000010
【図１０】
0006033784.tif 000011